(57)【要約】      （修正有）【課題】道糸を切ることなく早く交換できる中通しウキを提供する。【解決手段】縦に切れ目が中央まで入れてありそこより道糸が出し入れでき、中通しウキ上部と下部にパイプ゜が入る穴があり、中通しウキ中央に、中通しウキ上部と下部の前記パイプが入る穴とつながり、パイプ内径と同じ内径の穴を有する。【選択図】図５
0003172938.tif 000002
【実用新案登録請求の範囲】
【請求項１】
縦に切れ目が中央まで入れてありそこより道糸が出し入れでき．中通しウキ上部と下部にパイプが入る穴が有り．内部穴中央にパイプ内径と同じ内径の穴を有する中通しウキ。
【請求項２】
上部と下部に出し入れが出来るパイプをそれぞれ１コずつ有する中通しウキ。
【請求項３】
外側にゴムを貼り付けてあるパイプ。
【請求項４】
パイプを容易に入れるためのパイプ挿入棒。
【考案の詳細な説明】
【考案の詳細な説明】
【考案の属する技術的分野】
【０００１】  この考案は中通しウキ１の交換で手間取っている．あるいは少しでも早く交換したい釣り人に提供する中通しウキ。
【背景技術】
【０００２】  中通しウキ１を交換するときは道糸３を切り中通しウキ１を取り外しサルカン４に残った道糸３を切る．又はハリス５に残った道糸３を切り取って次に使用する別の中通しウキに道糸３を通しサルカン４．又はハリス５に結び直している。
【考案が解決しようとする課題】
【０００３】ところが上記従来のやり方では道糸３を切り中通しウキ１から道糸３を抜き．次に使用する別の中通しウキに道糸３を通しサルカン４．又はハリス５に結び直しているので時間がかかっている．冬の気温の低い時は指がかじかんで結びずらい．又指から道糸３がすべって空中に舞い道糸３を掴むのに手間取ることもある。
【０００４】本考案は上記のような従来技術に存在する問題点に着目してなされたものである．道糸３を切ることなく早く交換できる中通しウキを提供することにある．
【課題を解決するための手段】
【０００５】上記の目的を達成するために請求項１に記載の考案は縦に切れ目６を穴２まで入れ．ここから道糸３を出し入れ出来るようにし．又穴２にパイプ内径と同じ内径の内部穴７を中央に設け．上部穴８と下部穴９にパイプ１１をそれぞれ入れられるように穴加工したものである．上部下部に入るパイプは同じ物である．
【０００６】請求項２に記載の考案は請求項１に記載の中通しウキ１０において．パイプ１１の片方を糸滑りを良くするために内側を斜めに切削加工している．切削加工していない面を抱き合わせ．この中に道糸３を通しサルカン４．又はハリス５に結ぶ．その後パイプ１１を離しその間に中通しウキ１０の切れ目から道糸３を入れ．上部穴８と下部穴９にパイプ１１を挿入し道糸３から中通しウキ１０が落ちないようにするものである。
【０００７】請求項３に記載の考案でゴム１５の貼り付けは中通しウキ１０の上部穴８と下部穴９にパイプ１１を入れ．使用している時にパイプ１１が抜け落ちない様に滑り止めの役目をする物である
【０００８】請求項４に記載の考案はパイプ１１を容易に入れる為のパイプ挿入棒１２である．パイプ１１に貼り付けてあるゴムの外側が上部穴８．下部穴９の内側と接する程であるので少しでも斜めになると入りにくい．そのためにパイプ挿入棒１２の先のとがった部分と棒状の部分をガイドにしてパイプ１１が上部穴８．下部穴９に真っ直ぐに挿入できるようにしたものである。
【本考案の形態】
【０００９】本考案を具体化した形態について図５に基付き説明する。
【００１０】図５は本考案の中通しウキ１０を示す使用断面図である．同図に示すように中通しウキ１０は縦に切れ目６が入れてあり．上部穴８．下部穴９．内部穴７．外側にゴム１５を貼り付けてある２コのパイプ１１から構成されている。
【本考案の使用方法】
【００１１】外側にゴム１５を貼り付けてある２コのパイプ１１を各々片方の内側を切削加工していない面を抱き合わせこれに道糸３を通す．その後道糸３をサルカン４．又はハリス５に結ぶ．そしてパイプ１１とパイプ１１を離しその間に中通しウキ１０の切れ目６より道糸３を入れる．又その状態で上部穴８にパイプ１１をパイプ挿入棒１２の溝１３に道糸３を入れ．道糸３が溝１３から出ないようにパイプ挿入捧１２で止まるまで軽く押し込む．下部穴９にも同様のやり方でパイプ１１を挿入する．上部．下部どちらから挿入しても良い．又中通しウキ１０を別の中通しウキに替える時はパイプ抜き出し金具１４を上部穴８のパイプ１１の中へ入れパイプ抜き出し金具１４の先端をパイプ１１の外側の切れ目６に出し．これにパイプ１１の端面を引っ掛けゆっくり抜き出す．下部穴９のパイプ１１も同様のやり方で抜き出す．次に中通しウキ１０を道糸３からはずし次に使う中通しウキを入れ．上部穴８下部穴９にパイプ１１を入れる。
【考案の効果】
【００１２】したがってパイプ１１の内外径と長さ．ゴムの厚み．上部穴８と下部穴９の内径と深さの寸法を決めれば中通しウキ全般に使用できる．道糸を切る必要が無いので楽に又早く他のいろいろな種類の中通しウキと交換することが出来る．道糸が風に吹かれて指から離れ掴むのに手間取ることが無くなり．又冬の気温の下がったときは指がかじかんで結びずらいが．これも無くなる。
【図面の簡単な説明】
【図１】  現在の中通しウキ側面図
【図２】  切れ目を入れた側面図
【図３】  本考案の内部加工断面図
【図４】  本考案のパイプ側面図
【図５】  本考案の中通しウキ断面図
【図６】  本考案のパイプ挿入棒
【図７】  パイプ抜き出し金具
【符号の説明】１  中通しウキ
２  穴
３  道糸
４  サルカン
５  ハリス
６  切れ目
７  内部穴
８  上部穴
９  下部穴
１０本考案の中通しウキ
１１パイプ
１２パイプ挿入棒
１３溝
１４パイプ抜き出し金具
１５ゴム
【図１】
0003172938.tif 000003
【図２】
0003172938.tif 000004
【図３】
0003172938.tif 000005
【図４】
0003172938.tif 000006
【図５】
0003172938.tif 000007
【図６】
0003172938.tif 000008
【図７】
0003172938.tif 000009
【手続補正書】
【提出日】平成23年8月19日(2011.8.19)
【手続補正１】
【補正対象書類名】実用新案登録請求の範囲
【補正対象項目名】全文
【補正方法】変更
【補正の内容】
【実用新案登録請求の範囲】
【請求項１】
縦に切れ目が中央まで入れてありそこより道糸が出し入れでき、中通しウキ上部と下部にパイプ゜が入る穴があり、中通しウキ中央に、中通しウキ上部と下部の前記パイプが入る穴とつながり、パイプ内径と同じ内径の穴を有する中通しウキ。
【請求項２】
上部と下部に出し入れが出来るパイプをそれぞれ１コずつ有することを特徴とする請求項１記載の中通しウキ。
【請求項３】
外側にゴムを貼り付けてあるパイプを２コ有することを特徴とする請求項１記載の中通しウキ。
【請求項４】
請求項３に記載のパイプを押し込む為のもので、棒形状をしており外形がパイプ内径よりもわずかに小さく縦に道糸の入る溝があることを特徴とする請求項１記載の中通しウキに係る物品。
【手続補正書】
【提出日】平成23年10月17日(2011.10.17)
【手続補正１】
【補正対象書類名】実用新案登録請求の範囲
【補正対象項目名】全文
【補正方法】変更
【補正の内容】
【実用新案登録請求の範囲】
【請求項１】
縦に切れ目が中央まで入れてありそこより道糸が出し入れでき、中通しウキ上部と下部にパイプ゜が入る穴があり、中通しウキ中央に、中通しウキ上部と下部の前記パイプが入る穴とつながり、パイプ内径と同じ内径の穴を有する中通しウキ。
【請求項２】
上部と下部に出し入れが出来るパイプをそれぞれ１コずつ有することを特徴とする請求項１記載の中通しウキ。
【請求項３】
外側にゴムを貼り付けてあるパイプを２コ有することを特徴とする請求項１記載の中通しウキ。
【請求項４】
請求項３に記載の中通しウキについてパイプを押し込む為のパイプ挿入棒であって、棒形状をしており外形がパイプ内径よりもわずかに小さく縦に道糸の入る溝があることを特徴とするパイプ挿入棒。